(57)【要約】【課題】視認性が低下することを抑制することが可能なタッチパネルと、タッチパネルを積層した表示装置を提供する。【解決手段】一つの開口部２を囲む四本の線４ａ〜線４ｄからなる複数個の平行四辺形のパターンＲＰが複数本の導体線で形成されているタッチパネル１であって、交差せずに配置された複数本の導体線を含む第一導電層と、第一導電層に積層され、且つ交差せずに配置された複数本の導体線を含む第二導電層を備え、第二導電層に第一導電層を積層した状態の平面視で、第一導電層が含む導体線である第一導体線１４と第二導電層が含む導体線である第二導体線２４とは、それぞれが交差して、複数個の平行四辺形のパターンＲＰが形成されるように配置されている。【選択図】図２
2019008606.tif 000002
【特許請求の範囲】
【請求項１】
一つの開口部を囲む四本の線からなる複数個の平行四辺形のパターンが複数本の導体線で形成されているタッチパネルであって、
交差せずに配置された複数本の導体線を含む第一導電層と、前記第一導電層に積層され、且つ交差せずに配置された複数本の導体線を含む第二導電層と、を備え、
前記第二導電層に前記第一導電層を積層した状態の平面視で、前記第一導電層が含む導体線と前記第二導電層が含む導体線とは、それぞれが交差して前記複数個の平行四辺形のパターンが形成されるように配置されていることを特徴とするタッチパネル。
【請求項２】
前記平行四辺形のパターンが形成する鋭角は、１０°以上８９°以下の範囲内に設定され、
前記平行四辺形のパターンが形成する鈍角は、９０°以上１７０°以下の範囲内に設定されていることを特徴とする請求項１に記載したタッチパネル。
【請求項３】
複数の座標に対応した複数の検出領域を有し、
前記検出領域は、予め設定した範囲内において、同じパターンを繰り返すように形成されていることを特徴とする請求項１または請求項２に記載したタッチパネル。
【請求項４】
前記第一導電層が含む導体線は、平行に配列され、
前記第二導電層が含む導体線は、平行に配列されていることを特徴とする請求項１から請求項３のうちいずれか１項に記載したタッチパネル。
【請求項５】
前記平行四辺形のパターンは、複数の画素が配列されている方向に対して傾斜した方向である第一方向と、前記第一方向と交差する第二方向と、に沿って配列され、
前記第一方向に沿って延在する少なくとも一つの前記導体線に、前記第二方向に沿って延在する前記導体線が連結されていることを特徴とする請求項１から請求項４のうちいずれか１項に記載したタッチパネル。
【請求項６】
前記第一導電層が含む導体線及び前記第二導電層が含む導体線は、前記平面視で不規則に配列されていることを特徴とする請求項１から請求項５のうちいずれか１項に記載したタッチパネル。
【請求項７】
前記導体線は、電極に接続された複数本の主電極線と、電極に接続された複数本の副電極線と、前記主電極線及び前記副電極線に接続されておらず、且つ電極とは電気的に絶縁されている複数本のダミー線と、を含み、
前記主電極線及び前記副電極線のうち少なくとも一方の電極線と、前記ダミー線と、が交差した部分における前記一方の電極線と前記ダミー線との比率は、前記一方の電極線：前記ダミー線とすると、３：１、２：２、１：３、０：４のうちいずれか一つであることを特徴とする請求項１から請求項６のうちいずれか１項に記載したタッチパネル。
【請求項８】
前記導体線は、電極に接続された複数本の主電極線と、電極に接続された複数本の副電極線と、前記主電極線及び前記副電極線に接続されておらず、且つ電極とは電気的に絶縁されている複数本のダミー線と、を含み、
前記平面視で、前記ダミー線が鋭角で交差しないことを特徴とする請求項１から請求項７のうちいずれか１項に記載したタッチパネル。
【請求項９】
前記導体線は、電極に接続された複数本の主電極線と、電極に接続された複数本の副電極線と、を含み、
前記平面視で、前記第一導電層が含む前記主電極線が有する直線部分と、前記第二導電層が含む前記主電極線が有する直線部分とが交差することを特徴とする請求項１から請求項８のうちいずれか１項に記載したタッチパネル。
【請求項１０】
前記導体線は、電極に接続された複数本の主電極線と、電極に接続された複数本の副電極線と、を含み、
前記平面視で、前記第一導電層が含む前記主電極線が有する直線部分と、前記第二導電層が含む前記主電極線が有する直線部分とが交差しないことを特徴とする請求項１から請求項８のうちいずれか１項に記載したタッチパネル。
【請求項１１】
前記平面視で、前記第一導電層が含む前記副電極線が有する直線部分と、前記第二導電層が含む前記副電極線が有する直線部分とが交差することを特徴とする請求項９または請求項１０に記載したタッチパネル。
【請求項１２】
前記平面視で、前記第一導電層が含む前記副電極線が有する直線部分と、前記第二導電層が含む前記副電極線が有する直線部分とが交差しないことを特徴とする請求項９または請求項１０に記載したタッチパネル。
【請求項１３】
前記複数本の主電極線は、前記平面視で予め設定した方向に連続するパターンである複数の主電極線群を形成し、
前記複数の主電極線群同士は、前記副電極線のみで連結されていることを特徴とする請求項９から請求項１２のうちいずれか１項に記載したタッチパネル。
【請求項１４】
前記第一導電層及び前記第二導電層のうち少なくとも一方において、前記主電極線が有する直線部分の端部間に前記副電極線の一方の端部が連結されていることを特徴とする請求項９から請求項１３のうちいずれか１項に記載したタッチパネル。
【請求項１５】
前記導体線が有する直線部分の長さは、前記一つの開口部を囲む四本の線のうち一本の線の長さであるピッチの１倍以上１０倍以下に設定されていることを特徴とする請求項１から請求項１４のうちいずれか１項に記載したタッチパネル。
【請求項１６】
前記導体線が有する直線部分の長さは、前記ピッチの１倍以上６倍以下に設定されていることを特徴とする請求項１５に記載したタッチパネル。
【請求項１７】
前記導体線が有する直線部分の長さは、前記ピッチの１倍以上４倍以下に設定されていることを特徴とする請求項１６に記載したタッチパネル。
【請求項１８】
前記複数個の平行四辺形のパターンは、画素を配列した配列方向に対して傾斜した方向である第一方向と、前記第一方向と交差する第二方向と、に沿って配列されていることを特徴とする請求項１から請求項１７のうちいずれか１項に記載したタッチパネル。
【請求項１９】
請求項１から請求項１８のうちいずれか１項に記載したタッチパネルを積層したことを特徴とする表示装置。
【発明の詳細な説明】
【技術分野】
【０００１】
本発明は、例えば、携帯通信端末が備えるタッチパネル等、表示装置に積層されるタッチパネルと、タッチパネルを積層した表示装置に関する。
【背景技術】
【０００２】
表示装置が備えるタッチパネルに、金属製の細線（金属細線）でパターンを形成する技術としては、例えば、特許文献１に記載されている技術がある。
特許文献１には、二本の金属細線が交差する交差領域における金属細線の幅（以降、「線幅」と記載する場合がある）が、交差領域以外における金属細線の線幅に比べて狭い単位パターンを組み合わせて、メッシュパターンを形成する技術が記載されている。
【先行技術文献】
【特許文献】
【０００３】
【特許文献１】特開２０１４−６３４６８号公報
【発明の概要】
【発明が解決しようとする課題】
【０００４】
特許文献１に記載されている技術では、透明基体の一方の面上、すなわち、同じ層が含む二本の金属細線同士が交差して、メッシュパターンを形成している。
このため、同じ層が含む金属細線同士が交差している部分では、他の部分（金属細線同士が離間している部分等）と比較して、ウェットエッチングによるエッチング残り等によって金属細線の線幅が太くなり、タッチパネルの視認性が低下するという問題点がある。
【０００５】
本発明は、上記のような問題点に着目してなされたもので、視認性の低下を抑制することが可能な、タッチパネルと、タッチパネルを備える表示装置を提供することを目的とする。
【課題を解決するための手段】
【０００６】
上記課題を解決するために、本発明の一態様は、一つの開口部を囲む四本の線からなる複数個の平行四辺形のパターンが複数本の導体線で形成されているタッチパネルである。
タッチパネルは、交差せずに配置された複数本の導体線を含む第一導電層と、第一導電層に積層され、且つ交差せずに配置された複数本の導体線を含む第二導電層と、を備える。そして、第二導電層に第一導電層を積層した状態の平面視で、第一導電層が含む導体線と第二導電層が含む導体線とは、それぞれが交差して複数個の平行四辺形のパターンが形成されるように配置されている。
【０００７】
また、上記課題を解決するために、本発明の一態様は、複数個の平行四辺形のパターンが複数本の導体線で形成されているタッチパネルを積層した表示装置である。
【発明の効果】
【０００８】
本発明の一態様によれば、第一導電層及び第二導電層のそれぞれで、複数本の導体線が交差しないようにしたことで、導体線（金属細線）の線幅が太くなることを抑制することが可能となる。
このため、複数個の平行四辺形のパターンが複数本の導体線で形成されているタッチパネルと、タッチパネルを積層した表示装置に対し、視認性が低下することを抑制することが可能となる。
【図面の簡単な説明】
【０００９】
【図１】本発明の第一実施形態のタッチパネルを表す平面図である。
【図２】図１中に破線で囲んだ領域ＩＩの拡大図である。
【図３】図２のＩＩＩ‐ＩＩＩ線断面図である。
【図４】第一導電層を表す平面図である。
【図５】第一主電極線及び第一副電極線の数と第一ダミー線の数との比率を表す図である。
【図６】二本の第一ダミー線が交差する位置に、空隙部が形成されている状態を表す図である。
【図７】二本の第一ダミー線が交差する位置に、空隙部を形成する処理を表す図である。
【図８】第二導電層を表す平面図である。
【図９】第一導体線と第二導体線との積層状態を表す図である。
【図１０】正方形（格子）のパターンで形成されているタッチパネルを表す図である。図１０（ａ）は、正方形のパターンで形成されているタッチパネルの一部を表す図であり、図１０（ｂ）は、図１０（ａ）中に破線Ｂで囲んだ範囲の拡大図である。
【図１１】菱形のパターンで形成されているタッチパネルを表す図である。図１１（ａ）は、菱形のパターンで形成されているタッチパネルの一部を表す図であり、図１１（ｂ）は、図１１（ａ）中に破線Ｂで囲んだ範囲の拡大図である。
【図１２】平行四辺形のパターンで形成されているタッチパネルを表す図である。図１２（ａ）は、平行四辺形のパターンで形成されているタッチパネルの一部を表す図であり、図１２（ｂ）は、図１２（ａ）中に破線Ｂで囲んだ範囲の拡大図である。
【図１３】平行四辺形の縦方向が鋭角になる組み合わせと、平行四辺形の横方向が鋭角になる組み合わせを表す図である。図１３（ａ）は、平行四辺形のパターンを形成する二本の線の組み合わせを表す図である。図１３（ｂ）は、図１３（ａ）中に破線Ｂで囲んだ範囲において交差する二本の線の角度で作成した平行四辺形を表す図である。図１３（ｃ）は、図１３（ａ）中に破線Ｃで囲んだ範囲において交差する二本の線の角度で作成した平行四辺形を表す図である。
【図１４】第一導体線及び第二導体線が、平面視で規則的な網目（メッシュパターン）が形成されるように設定されているタッチパネルを表す図である。
【図１５】第一導体線及び第二導体線が、平面視で規則的な網目が形成されるように設定されているタッチパネルにおいて、鋭角部分が形成される位置を表す図である。
【図１６】第一導体線及び第二導体線が、平面視で不規則（ランダム）に配列されているタッチパネルを表す図である。
【図１７】第一導体線及び第二導体線が、平面視で不規則に配列されているタッチパネルにおいて、鋭角部分が形成される位置を表す図である。
【図１８】比較例１のタッチパネルに対する設計可能パラメータの数を表すグラフである。
【図１９】比較例２のタッチパネルに対する設計可能パラメータの数を表すグラフである。
【図２０】比較例３のタッチパネルに対する設計可能パラメータの数を表すグラフである。
【図２１】比較例４のタッチパネルに対する設計可能パラメータの数を表すグラフである。
【発明を実施するための形態】
【００１０】
以下の詳細な説明では、本発明の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で表す場合がある。
（第一実施形態）
以下、本発明の第一実施形態について、図面を参照しつつ説明する。
（構成）
図１から図９を参照して、タッチパネル１の構成について説明する。
【００１１】
（タッチパネル１の概略構成）
図１及び図２中に表すタッチパネル１は、例えば、カーナビゲーションシステム等が備える。
また、タッチパネル１は、複数の座標に対応した複数の検出領域を有するパネルであり、例えば、静電容量方式のタッチパネルを形成する。
【００１２】
また、タッチパネル１は、液晶パネル等の表示パネル（表示装置）上に、接着部材を介して積層されたパネルである。
第一実施形態では、タッチパネル１の形状を、一例として、縦方向の長さよりも横方向の長さが大きい（横長）形状とした場合について説明する。
なお、図１中には、タッチパネル１が有する検出領域のうち、縦方向に配列した三つの座標（容量検出単位：ノード）と横方向に配列した三つの座標とを合計した、九つの座標（三行×三列）に対応した九つの検出領域を表す。
【００１３】
また、図２中には、タッチパネル１が有する九つの検出領域のうち、図１中で左上に配置した一つの検出領域のみを表す。なお、一つの検出領域における一辺の長さは、例えば、４［ｍｍ］以上５［ｍｍ］以下の範囲内に設定する。
図２中に表すように、タッチパネル１は、一つの開口部２を囲む四本の線４ａ〜線４ｄからなる複数個の平行四辺形のパターンＲＰが、複数本の導体線で形成されているタッチパネルである。
【００１４】
また、検出領域には、図２中に表すような、予め設定した範囲（第一実施形態では、４［ｍｍ］以上５［ｍｍ］以下の範囲）に形成されたパターンを、繰り返すように形成する。具体的には、単位検出領域内にパターンを形成し、その単位検出領域をタッチパネル全体の検出領域で繰り返すように形成されている。
パターンＲＰは、平行四辺形である。このため、四本の線４ａ〜線４ｄのうち、対向する二つの辺（線４ａと線４ｃ、線４ｂと線４ｄ）が同じ長さであり、隣り合う二つの辺（線４ａまたは線４ｃと線４ｂ及び線４ｄ、線４ｂまたは線４ｄと線４ａ及び線４ｃ）の長さが異なる直線である。
【００１５】
また、パターンＲＰは、平行四辺形である。このため、平行四辺形のパターンＲＰは、二つの鋭角と、二つの鈍角を形成する。
第一実施形態では、一例として、パターンＲＰが形成する鋭角が、１０［°］以上８９［°］以下の範囲内に設定されている場合について説明する。同様に、第一実施形態では、一例として、パターンＲＰが形成する鈍角が、９０［°］以上１７０［°］以下の範囲内に設定されている場合について説明する。
【００１６】
なお、図２中では、説明のために、複数個の平行四辺形のパターンのうち、一つのパターンのみを、符号ＲＰを付して表している。したがって、図２中では、開口部２及び四本の線４ａ〜線４ｄも、一つのみ表す。
特に図示しないが、タッチパネル１を積層する表示装置が備える複数の画素は、図２中における水平方向及び垂直方向に沿って配列されている。なお、図２中には、複数の画素が配列されている方向を、「画素の配列方向、水平、垂直」と表す。
【００１７】
そして、複数個の平行四辺形のパターンＲＰは、第一方向Ｄ１と、第一方向Ｄ１と交差する第二方向Ｄ２とに沿って配列されている。
第一方向Ｄ１は、複数の画素が配列されている方向に対して傾斜した方向である。
図３中に表すように、タッチパネル１は、第一導電層１０と、第二導電層２０と、を備えている。
【００１８】
図３は、第一導電層１０（第一基材１２）の片面（図３中では、上側の面）に第一導体線１４を有し、第二導電層２０（第二基材２２）の片面（図３中では、下側の面）に第二導体線２４を有する構成に係る図示である。
なお、第一導電層１０と第二導電層２０の積層形態としては、互いに形成された第一導体線１４と第二導体線２４が、第一導電層１０及び第二導電層２０の上下何れの側に面する配置であっても良い。
【００１９】
また、第一導体線１４と第二導体線２４が直接対向して配置される場合には、第一導体線１４と第二導体線２４との間の短絡が回避される様に、接着剤等の絶縁材料を介して、第一導体線１４と第二導体線２４を配置する必要がある。
なお、第一導電層１０と第二導電層２０とを兼ねる共通（単独）の絶縁基材の表面及び裏面に、第一導体線１４と第二導体線２４が形成された構成としてもよい。
【００２０】
第一実施形態では、一例として、第一導電層１０が、タッチパネル１のセンシング層を形成する場合について説明する。
また、第一導電層１０は、第一基材１２と、交差せずに配置された複数本の導体線（図中及び以降の説明では、「第一導体線１４」と表す）を含んでいる。
第一基材１２は、ガラスや樹脂フィルム等の透明な材料を用いて形成されている。
【００２１】
なお、説明のために、図１及び図２中では、第一導体線１４を実線で表し、図３中では、第一導体線１４を黒塗りの円で表す。また、図３中には、第一導体線１４のうち、第一導電層１０のＩＩＩ−ＩＩＩ線断面と重なる部分のみを表す。
なお、第一導電層１０の詳細な構成については、後述する。
第二導電層２０は、図３中に表すように、第一導電層１０に積層されている。なお、図３中には、第一導電層１０と第二導電層２０とを積層した方向を、「積層方向」として双方向矢印で表す。
【００２２】
第一実施形態では、一例として、第二導電層２０が、タッチパネル１のドライブ層を形成する場合について説明する。
また、第二導電層２０は、第二基材２２と、交差せずに配置された複数本の導体線（図中及び以降の説明では、「第二導体線２４」と表す）を含んでいる。
第二基材２２は、第一基材１２と同様、ガラスや樹脂フィルム等の透明な材料を用いて形成されている。
【００２３】
なお、説明のために、図１中では、第二導体線２４を実線で表し、図２中では、第二導体線２４を破線で表し、図３中では、第二導体線２４を白抜きの円で表す。また、図３中には、第二導体線２４のうち、第二導電層２０のＩＩＩ−ＩＩＩ線断面と重なる部分のみを表す。
なお、第二導電層２０の詳細な構成については、後述する。
【００２４】
図２中に表すように、第二導電層２０に第一導電層１０を積層した状態の平面視で、複数本の第一導体線１４と、複数本の第二導体線２４とは、それぞれが交差して複数個の平行四辺形のパターンＲＰが形成されるように配置されている。
なお、上述した平面視とは、第一導電層１０と第二導電層２０とを積層した方向に沿った視点である。
【００２５】
上述した構成により、タッチパネル１では、ドライブ層を形成する第二導電層２０に電圧が掛かることで発生する電気力線が、指先等の導体が接触していない場合には、センシング層を形成する第一導電層１０との間に存在する。
そして、指先等の導体が接触した場合には、電気力線の一部が、指先等の導体を介して接地される。そのため、第二導電層２０と第一導電層１０の間の静電容量が減少する。
このように、静電容量が変化する事で、タッチパネル１の操作面における指先等の導体の接触位置が検出される。
【００２６】
（第一導電層１０の構成）
図１から図３を参照しつつ、図４から図７を用いて、第一導電層１０の詳細な構成を説明する。
複数本の第一導体線１４は、例えば、金（Ａｕ）、銀（Ａｇ）、銅（Ｃｕ）等を用いて形成された金属線である。
【００２７】
第一実施形態では、一例として、第一導体線１４を、銅を用いて形成した場合について説明する。
第一導体線１４の線幅（太さ）は、例えば、３０［μｍ］以下に設定する。これは、第二導体線２４の線幅（太さ）についても、同様とする。
第一実施形態では、一例として、第一導体線１４の線幅を、２［μｍ］以上７［μｍ］以下の範囲内に設定した場合について説明する。これは、第二導体線２４の線幅についても、同様とする。
【００２８】
各第一導体線１４は、第一方向Ｄ１、または、第二方向Ｄ２のいずれかに沿って配列されている。第一方向Ｄ１に沿って配列されている複数の第一導体線１４は、平行に配列されている。第二方向Ｄ２に沿って配列されている複数の第一導体線１４は、平行に配列されている。
すなわち、第一導電層１０が含む導体線である第一導体線１４は、平行に配列されている。
【００２９】
各第一導体線１４の連結点では、平面視で、二本の第一導体線１４が、直線状、「Ｔ字」形状、「Ｌ字」形状のうちいずれかの形状で連結されている。
すなわち、第一方向Ｄ１に沿って延在する少なくとも一つの第一導体線１４に、第二方向Ｄ２に沿って延在する第一導体線１４が連結されている。
なお、「Ｔ字形状」とは、連結された二本の第一導体線１４のなす二箇所の角度が、鋭角及び鈍角となる形状である。また、「Ｌ字形状」とは、連結された二本の第一導体線１４のなす一箇所の角度が、鋭角または鈍角となる形状である。
【００３０】
これにより、第一導電層１０において、各第一導体線１４が交差する部分は形成されていない。
第一導体線１４が有する直線部分の長さは、一つの開口部２を囲む四本の線４（図２参照）のうち一本の線の長さであるピッチＷＰ（ワイヤーピッチ）の１倍以上１０倍以下に設定されている。
【００３１】
第一実施形態では、一例として、第一導体線１４が有する直線部分の長さが、ピッチＷＰの１倍以上４倍以下に設定されている場合について説明する。
なお、図４中では、第一導体線１４が有する直線部分のうち、ピッチＷＰの３倍に長さが設定された一つの直線部分を、符号ＳＴａで表す。
また、ピッチＷＰは、例えば、１００［μｍ］以上４００［μｍ］以下の範囲内に設定する。これは、第二導電層２０においても同様である。
【００３２】
また、第一実施形態では、一例として、第一導体線１４の構成を、第一導電層１０において、第一導体線１４のみで、一つの開口部２を囲み、平行四辺形のパターンＲＰを形成する四本の線（図２参照）が形成されることがない構成とした場合について説明する。
また、二本の第一導体線１４が連結された連結点には、平面視で、連結された二本の第一導体線１４がなす角度が鋭角である第一鋭角部１６ａと、連結された二本の第一導体線１４がなす角度が鈍角である第一鈍角部１６ｂが形成されている。なお、図４中では、複数形成されている第一鋭角部のうち、一つの第一鋭角部のみを、符号１６ａで表している。同様に、図４中では、複数形成されている第一鈍角部のうち、一つの第一鈍角部のみを、符号１６ｂで表している。
【００３３】
さらに、第一導体線１４は、平面視で不規則（ランダム）に配列されている。
具体的に、第一導体線１４のピッチＷＰと、第一導体線１４が延在する方向（第一方向Ｄ１、または、第二方向Ｄ２）は、一つの開口部を囲む四辺形が、第一導体線１４のみによって形成されないように設定されている。
複数本の第一導体線１４は、複数本の主電極線と、複数本の副電極線と、複数本のダミー線と、を含んでいる。
【００３４】
なお、図４中及び以降の説明では、第一導体線１４が含む主電極線を「第一主電極線１４Ｍ」と表し、第一導体線１４が含む副電極線を「第一副電極線１４Ｓ」と表し、第一導体線１４が含むダミー線を「第一ダミー線１４Ｄ」と表す。
また、図４中では、説明のために、第一主電極線１４Ｍを実線で表し、第一副電極線１４Ｓを破線で表し、第一ダミー線１４Ｄを第一主電極線１４Ｍよりも細い実線で表す。
【００３５】
第一主電極線１４Ｍ及び第一副電極線１４Ｓは、図外の電極に接続されている。なお、特に図示しないが、同一のノードを構成する複数本の第一主電極線１４Ｍは、一つの群を形成している。したがって、第一副電極線１４Ｓは、一つの群を形成している第一主電極線１４Ｍを介して、図外の電極に接続されている。
第一導体線１４が含む複数本の第一主電極線１４Ｍは、複数の第一主電極線群１８を形成している。
【００３６】
第一実施形態では、一例として、図４中に表すように、一つの検出領域において、第一導体線１４が含む複数本の第一主電極線１４Ｍが、三つの第一主電極線群１８を形成している場合について説明する。
三つの第一主電極線群１８は、それぞれ、図４中に表すように、一つの検出領域を、予め設定した方向（図４中では、縦方向）に連続するパターンである。
【００３７】
各第一副電極線１４Ｓは、複数の異なる第一主電極線群１８同士を連結している。すなわち、三つの第一主電極線群１８同士は、第一副電極線１４Ｓのみで連結されている。
第一副電極線１４Ｓと第一主電極線群１８との連結点は、第一副電極線１４Ｓの端部を、第一主電極線群１８の両端部間に接続して形成されている。
すなわち、第一導電層１０において、第一主電極線１４Ｍが有する直線部分の端部間に、第一副電極線１４Ｓの一方の端部が連結されている。
【００３８】
第一ダミー線１４Ｄは、第一主電極線１４Ｍ及び第一副電極線１４Ｓに接続されておらず、電極とは電気的に絶縁されている。
また、第一導電層１０において、第一主電極線１４Ｍ及び第一副電極線１４Ｓのうち少なくとも一方と第一ダミー線１４Ｄとが交差した部分では、第一主電極線１４Ｍ及び第一副電極線１４Ｓの数と第一ダミー線１４Ｄの数との比率が、予め設定されている。
【００３９】
具体的には、上述した交差した部分を形成する四本の線のうち、第一主電極線１４Ｍ及び第一副電極線１４Ｓの数と第一ダミー線１４Ｄの数との比率は、図５（ａ）〜図５（ｄ）中に表すように、３：１、２：２、１：３、０：４のうちいずれか一つである。
なお、図５（ａ）〜図５（ｃ）中では、第一主電極線１４Ｍと第一ダミー線１４Ｄとが交差して形成された四本の線を表している。したがって、図５（ａ）〜図５（ｃ）中の第一主電極線１４Ｍを、第一副電極線１４Ｓに置き換えた場合であっても、同様の構成である。
【００４０】
また、図５（ａ）には、上述した交差した部分を形成する四本の線のうち、第一主電極線１４Ｍ及び第一副電極線１４Ｓの数と第一ダミー線１４Ｄの数との比率が、３：１である状態を表す。
同様に、図５（ｂ）には、上述した交差した部分を形成する四本の線のうち、第一主電極線１４Ｍ及び第一副電極線１４Ｓの数と第一ダミー線１４Ｄの数との比率が、２：２である状態を表す。
【００４１】
さらに、図５（ｃ）には、上述した交差した部分を形成する四本の線のうち、第一主電極線１４Ｍ及び第一副電極線１４Ｓの数と第一ダミー線１４Ｄの数との比率が、１：３である状態を表す。
そして、図５（ｄ）には、上述した交差した部分を形成する四本の線のうち、第一主電極線１４Ｍ及び第一副電極線１４Ｓの数と第一ダミー線１４Ｄの数との比率が、０：４である状態を表す。
【００４２】
すなわち、第一実施形態では、主電極線及び副電極線のうち少なくとも一方の電極線とダミー線とが交差した部分における、電極線とダミー線との比率は、電極線：ダミー線とすると、３：１、２：２、１：３、０：４のうちいずれか一つである。
また、図５（ａ）〜図５（ｃ）中に表すように、第一ダミー線１４Ｄと第一主電極線１４Ｍが接続して鋭角が形成される部分には、空隙部ＳＰが形成されている。
【００４３】
同様に、図示は省略するが、第一ダミー線１４Ｄと第一副電極線１４Ｓが接続して鋭角が形成される部分には、空隙部ＳＰが形成されている（図５（ａ）〜図５（ｃ）を参照）。
また、図５（ｄ）中に表すように、二本の第一ダミー線１４Ｄが交差して鋭角が形成される部分には、図６中に表すように、空隙部ＳＰが形成されている。
【００４４】
すなわち、図６中に表す例では、交差して鋭角を形成する二本の第一ダミー線１４Ｄの両方に対し、二本の第一ダミー線１４Ｄが交差して鋭角が形成される部分を切除するように、第一ダミー線１４Ｄの一部を切除して、空隙部ＳＰを形成する。
二本の第一ダミー線１４Ｄが交差して鋭角が形成される部分に空隙部ＳＰを形成する構成は、図６中に表した例に限定するものではない。すなわち、例えば、図７（ａ）中に円ＣＥで囲んだ領域（加工領域）のうち、第一ダミー線１４Ｄが交差する位置をトリミング等で切除して、図７（ｂ）や図７（ｃ）中に表すように、空隙部ＳＰを形成してもよい。
【００４５】
すなわち、図７（ｂ）中に表す例では、交差して鋭角を形成する二本の第一ダミー線１４Ｄの両方に対し、二本の第一ダミー線１４Ｄが交差して鋭角が形成される部分が残るように、第一ダミー線１４Ｄの一部を切除して、空隙部ＳＰを形成する。これに加え、図７（ｂ）中に表す例では、二本の第一ダミー線１４Ｄが交差して形成された二つの角部のうち、一方の角部を残す。
【００４６】
また、図７（ｃ）中に表す例では、交差して鋭角を形成する二本の第一ダミー線１４Ｄの一方のみに対し、二本の第一ダミー線１４Ｄが交差する部分が残るように、第一ダミー線１４Ｄの一部を切除して、空隙部ＳＰを形成する。
なお、図５（ａ）〜図５（ｃ）中に表す例では、第一ダミー線１４Ｄと第一主電極線１４Ｍが交差しているが、第一ダミー線１４Ｄは電極に接続していないため、第一ダミー線１４Ｄと第一主電極線１４Ｍで鋭角が形成されることはない。
【００４７】
また、図５（ａ）及び図５（ｂ）に表す例では、第一主電極線１４Ｍ同士で鋭角を形成しているが、第一主電極線１４Ｍと第一ダミー線１４Ｄによって鋭角が形成されていない。したがって、図５（ｃ）に表す例のように、同じ導電層（第一導電層１０）が含む導体線が一本でも存在していれば、第一主電極線１４Ｍと第一ダミー線１４Ｄで鋭角が形成されることはない。
【００４８】
また、第一ダミー線１４Ｄ同士を接続する必要は無いため、図５（ｄ）に表す例では、交差する第一ダミー線１４Ｄを、全て離して配置している。このため、第一ダミー線１４Ｄ同士により鋭角は形成されない。
第一実施形態では、第一導体線１４が交差する位置の構成を、図５及び図６に表す構成とする。これにより、第一実施形態では、平面視で、第一ダミー線１４Ｄが鋭角で交差しない構成とする。この構成は、第二導電層２０についても同様とする。
【００４９】
（第二導電層２０の構成）
図１から図７を参照しつつ、図８を用いて、第二導電層２０の詳細な構成を説明する。
なお、第一導電層１０と同様の構成については、説明を省略する場合がある。
複数本の第二導体線２４は、第一導体線１４と同様、例えば、金（Ａｕ）、銀（Ａｇ）、銅（Ｃｕ）等を用いて形成された金属線である。
【００５０】
第一実施形態では、一例として、第二導体線２４を、銅を用いて形成した場合について説明する。
各第二導体線２４は、第一導体線１４と同様、第一方向Ｄ１、または、第二方向Ｄ２のいずれかに沿って配列されている。第一方向Ｄ１に沿って配列されている複数の第二導体線２４は、平行に配列されている。第二方向Ｄ２に沿って配列されている複数の第二導体線２４は、平行に配列されている。
すなわち、第二導電層２０が含む導体線である第二導体線２４は、平行に配列されている。
【００５１】
各第二導体線２４の連結点では、各第一導体線１４の連結点と同様、平面視で、二本の第二導体線２４が、直線状、「Ｔ字」形状、「Ｌ字」形状のうちいずれかの形状で連結されている。
すなわち、第一方向Ｄ１に沿って延在する少なくとも一つの第二導体線２４に、第二方向Ｄ２に沿って延在する第二導体線２４が連結されている。
【００５２】
なお、「Ｔ字形状」とは、連結された二本の第二導体線２４のなす二箇所の角度が、鋭角及び鈍角となる形状である。また、「Ｌ字形状」とは、連結された二本の第二導体線２４のなす一箇所の角度が、鋭角または鈍角となる形状である。
これにより、第二導電層２０において、各第二導体線２４が交差する部分は形成されていない。
【００５３】
第二導体線２４が有する直線部分の長さは、一つの開口部２を囲む四本の線４のうち一本の線の長さであるピッチＷＰ（ワイヤーピッチ）の１倍以上１０倍以下に設定されている。
第一実施形態では、一例として、第二導体線２４が有する直線部分の長さが、ピッチＷＰの１倍以上４倍以下に設定されている場合について説明する。
【００５４】
なお、図８中では、第二導体線２４が有する直線部分のうち、ピッチＷＰの３倍に長さが設定された一つの直線部分を、符号ＳＴｂで表す。
また、第一実施形態では、一例として、第二導体線２４の構成を、第二導電層２０において、第二導体線２４のみで、一つの開口部２を囲み、平行四辺形のパターンＲＰを形成する四本の線（図２参照）が形成されることがない構成とした場合について説明する。
【００５５】
また、二本の第二導体線２４が連結された連結点には、平面視で、連結された二本の第二導体線２４がなす角度が鋭角である第二鋭角部２６ａと、連結された二本の第二導体線２４がなす角度が鈍角である第二鈍角部２６ｂが形成されている。なお、図８中では、複数形成されている第二鋭角部のうち、一つの第二鋭角部のみを、符号２６ａで表している。同様に、図８中では、複数形成されている第二鈍角部のうち、一つの第二鈍角部のみを、符号２６ｂで表している。
【００５６】
さらに、第二導体線２４は、第一導体線１４と同様、平面視で不規則（ランダム）に配列されている。
具体的に、第二導体線２４のピッチＷＰと、第二導体線２４が延在する方向（第一方向Ｄ１、または、第二方向Ｄ２）は、一つの開口部を囲む四辺形が、第二導体線２４のみによって形成されないように設定されている。
【００５７】
以上により、第一導電層１０が含む導体線である第一導体線１４、及び第二導電層２０が含む導体線である第二導体線２４は、平面視で不規則に配列されている。そして、第一導体線１４及び第二導体線２４は、不規則に配列されることで、規則的な網目（メッシュパターン）が形成されないように設定されている。なお、「規則的な網目」とは、例えば、同じピッチの直線が第一方向Ｄ１と第二方向Ｄ２へ向かって交互に延在している複数の導体線が、同じ形状を形成する複数の線を形成しており、さらに、これらの線で囲まれた複数の空隙部が形成されている状態である。
【００５８】
したがって、各第一導体線１４の連結点と、各第二導体線２４の連結点における、「Ｔ字形状」及び「Ｌ字形状」で連結されている位置では、連結された二本の導体線のなす角度が鋭角となる位置も、ランダムに配置されることとなる。
複数本の第二導体線２４は、複数本の主電極線と、複数本の副電極線と、複数本のダミー線と、を含んでいる。
【００５９】
なお、図８中及び以降の説明では、第二導体線２４が含む主電極線を「第二主電極線２４Ｍ」と表し、第二導体線２４が含む副電極線を「第二副電極線２４Ｓ」と表し、第二導体線２４が含むダミー線を「第二ダミー線２４Ｄ」と表す。
また、図８中では、説明のために、第二主電極線２４Ｍを実線で表し、第二副電極線２４Ｓを破線で表し、第二ダミー線２４Ｄを第二主電極線２４Ｍよりも細い実線で表す。
【００６０】
第二主電極線２４Ｍ及び第二副電極線２４Ｓは、図外の電極に接続されている。なお、特に図示しないが、同一のノードを構成する複数本の第二主電極線２４Ｍは、一つの群を形成している。したがって、第二副電極線２４Ｓは、一つの群を形成している第二主電極線２４Ｍを介して、図外の電極に接続されている。
第二導体線２４が含む複数本の第二主電極線２４Ｍは、複数の第二主電極線群２８を形成している。
【００６１】
第一実施形態では、一例として、図８中に表すように、一つの検出領域において、第二導体線２４が含む複数本の第二主電極線２４Ｍが、三つの第二主電極線群２８を形成している場合について説明する。
三つの第二主電極線群２８は、それぞれ、図８中に表すように、一つの検出領域を、予め設定した方向（図８中では、横方向）に連続するパターンである。
【００６２】
すなわち、第一導電層１０が含む第一主電極線群１８が連続する方向と、第二導電層２０が含む第二主電極線群２８が連続する方向は、交差している。
各第二副電極線２４Ｓは、複数の異なる第二主電極線群２８同士を連結している。すなわち、三つの第二主電極線群２８同士は、第二副電極線２４Ｓのみで連結されている。
第二副電極線２４Ｓと第二主電極線群２８との連結点は、第一副電極線１４Ｓと第一主電極線１４Ｍとの連結点と同様、第二副電極線２４Ｓの端部を、第二主電極線群２８の両端部間に接続して形成されている。
【００６３】
すなわち、第二導電層２０において、第二主電極線２４Ｍが有する直線部分の端部間に、第二副電極線２４Ｓの一方の端部が連結されている。
したがって、第一実施形態では、第一導電層１０及び第二導電層２０のうち少なくとも一方において、主電極線が有する直線部分の端部間に、副電極線の一方の端部が連結されている。
【００６４】
第二ダミー線２４Ｄは、第二主電極線２４Ｍ及び第二副電極線２４Ｓに接続されておらず、電極とは電気的に絶縁されている。
また、第二導電層２０において、第二主電極線２４Ｍ及び第二副電極線２４Ｓのうち少なくとも一方と第二ダミー線２４Ｄとが交差した部分では、第二主電極線２４Ｍ及び第二副電極線２４Ｓの数と第二ダミー線２４Ｄの数との比率が、予め設定されている。
【００６５】
具体的には、上述した交差した部分を形成する四本の線のうち、第二主電極線２４Ｍ及び第二副電極線２４Ｓの数と第二ダミー線２４Ｄの数との比率は、３：１、２：２、１：３、０：４のうちいずれか一つである（図５（ａ）〜図５（ｄ）を参照）。
また、第一導電層１０と同様、第二ダミー線２４Ｄと第二主電極線２４Ｍとの間には、空隙部が形成されている（図５（ａ）〜図５（ｃ）を参照）。
【００６６】
同様に、第二ダミー線２４Ｄと第二副電極線２４Ｓとの間には、空隙部が形成されている（図５（ａ）〜図５（ｃ）を参照）。
また、二本の第二ダミー線２４Ｄが交差する位置には、空隙部が形成されている（図５（ｄ）、図６、図７（ａ）〜図７（ｃ）を参照）。
【００６７】
（第一導体線１４と第二導体線２４との積層状態）
図１から図８を参照しつつ、図９を用いて、第一導体線１４と第二導体線２４との積層状態を説明する。
上述した構成により、第二導電層２０に第一導電層１０を積層した状態の平面視では、第一導体線１４と第二導体線２４とを組み合わせた状態が、図９中に表す状態となる。
【００６８】
図９（ａ）中に表すように、第一導体線１４と第二導体線２４が交差する状態は、第一導電層１０において第一導体線１４が交差する状態では無く、第二導電層２０において第二導体線２４が交差する状態でも無い。
したがって、ウェットエッチングによるエッチング残り等により、他の部分（導体線同士が離間している部分等）と比較して導体線の線幅が太くなる状態が発生しない。
【００６９】
なお、図９（ａ）中に表す状態は、平面視で、第一導電層１０が含む主電極線（第一主電極線１４Ｍ）が有する直線部分と、第二導電層２０が含む主電極線（第二主電極線２４Ｍ）が有する直線部分とが交差する状態を含む。さらに、図９（ａ）中に表す状態は、平面視で、第一導電層１０が含む副電極線（第一副電極線１４Ｓ）が有する直線部分と、第二導電層２０が含む副電極線（第二副電極線２４Ｓ）が有する直線部分とが交差する状態を含む。
【００７０】
図９（ｂ）中に表すように、第一導体線１４と第二導体線２４が、それぞれ、鋭角ではなく鈍角で接続している状態では、線幅が太くなる状態が発生しても、線幅が太くなる量は少ない。
図９（ｃ）中に表すように、第一導体線１４と第二導体線２４が、それぞれ、鈍角ではなく鋭角で接続している状態では、二箇所の鋭角が形成されるため、線幅太りへの影響は大きい。したがって、鋭角が形成された部分に、それぞれ、エッチング残り等により、二箇所の太り部分ＥＦ（ＥＦ１、ＥＦ２）が発生する。
【００７１】
図９（ｄ）中に表すように、第一導体線１４のみが、鋭角ではなく鈍角で接続している状態では、一箇所の鋭角が形成されるため、鋭角が形成された部分に、一箇所の太り部分ＥＦ（ＥＦ１）が発生する。なお、特に図示しないが、第二導体線２４のみが、鋭角ではなく鈍角で接続している状態においても、一箇所の鋭角が形成されるため、第一導体線１４のみが鈍角で接続している状態と同様に、鋭角が形成された部分に、一箇所の太り部分ＥＦが発生する。
【００７２】
図９（ｅ）中に表すように、第一導体線１４と第二導体線２４が交差して鋭角が形成される部分に、空隙部ＳＰが形成されている状態では、第一導体線１４と第二導体線２４が接続されていないため、鋭角が形成されず、線幅が太くなる状態が発生しない。
以上により、図９（ｃ）及び図９（ｄ）中に表す状態、すなわち、太り部分ＥＦが発生する状態では、第二導電層２０に第一導電層１０を積層した状態の平面視で、開口部２の開口率（透過率）が太り部分ＥＦによって低下し、視認性が低下することとなる。
【００７３】
（作用）
図１から図９を参照しつつ、図１０から図１７を用いて、第一実施形態の作用を説明する。
第一実施形態のタッチパネル１を備えた表示装置（携帯電話やノートＰＣ等の携帯通信端末）の使用時には、表示部（画面）に表示されているアイコン等の位置（座標）を目標として、使用者が指先等でタッチパネル１に接触する。
【００７４】
そして、指先等が接触したタッチパネル１では、一つの第一導体線１４と、複数本の第二導体線２４との、それぞれの間における静電容量の変化が、第一導体線１４毎に検出されて、タッチパネル１の操作面における指先等の接触位置（座標）が検出される。
ここで、上述したように、第一実施形態のタッチパネル１は、一つの開口部２を囲む四本の線４ａ〜線４ｄからなる複数個の平行四辺形のパターンＲＰが、複数本の導体線（第一導体線１４、第二導体線２４）で形成されている。
【００７５】
そして、交差せずに配置された複数本の導体線（第一導体線１４）を含む第一導電層１０と、第一導電層１０に積層され、且つ交差せずに配置された複数本の導体線（第二導体線２４）を含む第二導電層２０と、を備える。
これに加え、第二導電層２０に第一導電層１０を積層した状態の平面視で、第一導体線１４と第二導体線２４は、それぞれ、複数個の平行四辺形のパターンＲＰが形成されるように配置されている。
【００７６】
これにより、第一導電層１０及び第二導電層２０のそれぞれで、複数本の導体線が交差しないようにしたことで、導体線の線幅が太くなることを抑制することが可能となる。
以上説明したように、第一実施形態のタッチパネル１であれば、複数個の平行四辺形のパターンＲＰが複数本の導体線で形成されているタッチパネル１に対し、視認性が低下することを抑制することが可能となる。
【００７７】
また、第一実施形態のタッチパネル１は、平行四辺形のパターンＲＰで形成されているため、正方形（格子）のパターンで形成されているタッチパネルや、菱形のパターンで形成されているタッチパネルと比較して、設計自由度を向上させることが可能となる。
以下、図１０から図１３を用いて、第一実施形態のタッチパネル１が、設計自由度を向上させることが可能となる作用について説明する。
【００７８】
図１０中に表すように、タッチパネルが正方形（格子）のパターンで形成されている場合、パターンの構成は、全ての角度が同じ（θ１＝θ２＝９０°）であるとともに、全てのピッチが等しい（Ｐ１＝Ｐ２）である構成となる。なお、図１０（ａ）は、正方形（格子）のパターンで形成されているタッチパネルの一部を表す図であり、図１０（ｂ）は、図１０（ａ）中に破線Ｂで囲んだ範囲の拡大図である。
【００７９】
図１１中に表すように、タッチパネルが菱形のパターンで形成されている場合、パターンの構成は、隣り合う角度が異なる（θ１≠θ２）とともに、対向する角度が等しい（θ１＝θ１’、θ２＝θ２’）構成となる。これに加え、全てのピッチが等しい（Ｐ１＝Ｐ２）構成となる。なお、図１１（ａ）は、菱形のパターンで形成されているタッチパネルの一部を表す図であり、図１１（ｂ）は、図１１（ａ）中に破線Ｂで囲んだ範囲の拡大図である。
【００８０】
図１２中に表すように、タッチパネル１が平行四辺形のパターンＲＰで形成されている場合、パターンの構成は、隣り合う角度が異なる（θ１≠θ２）とともに、対向する角度が等しい（θ１＝θ１’、θ２＝θ２’）構成となる。これに加え、隣り合うピッチが異なる（Ｐ１≠Ｐ２）とともに、対向するピッチが等しい（Ｐ１＝Ｐ１’、Ｐ２＝Ｐ２’）である構成となる。なお、図１２（ａ）は、平行四辺形のパターンで形成されているタッチパネルの一部を表す図であり、図１２（ｂ）は、図１２（ａ）中に破線Ｂで囲んだ範囲の拡大図である。
【００８１】
第一実施形態のように、タッチパネル１が平行四辺形のパターンＲＰで形成されている場合、対向する角度の組み合わせは、図１３中に表すように、平行四辺形の縦方向が鋭角になる組み合わせと、平行四辺形の横方向が鋭角になる組み合わせがある。
なお、図１３（ａ）は、平行四辺形のパターンを形成する二本の線の組み合わせを表す図であり、図中では、４５［°］で交差する二本の線に対し、「４５°」と付している。
また、図１３（ｂ）は、図１３（ａ）中に破線Ｂで囲んだ範囲において交差する二本の線の角度で作成した平行四辺形を表す図であり、鈍角（１２０［°］）となる横方向の角度を「θ１」で表し、鋭角（６０［°］）となる縦方向の角度を「θ２」で表す。また、図１３（ｃ）は、図１３（ａ）中に破線Ｃで囲んだ範囲において交差する二本の線の角度で作成した平行四辺形を表す図であり、鋭角（４４［°］）となる横方向の角度を「θ１」で表し、鈍角（１３６［°］）となる横方向の角度を「θ２」で表す。
【００８２】
すなわち、平行四辺形のパターンＲＰが有する縦方向の鋭角は、θ１（横方向の角度）＞θ２（縦方向の角度）の時に形成される。また、平行四辺形のパターンＲＰが有する横方向の鋭角は、θ１（横方向の角度）＜θ２（縦方向の角度）の時に形成される。
以上説明したように、平行四辺形のパターンＲＰは、正方形（格子）のパターンや菱形のパターンと比較して、隣り合う角度だけでなく、隣り合うピッチも異なる。このため、平行四辺形のパターンＲＰは、正方形のパターンや菱形のパターンと比較して、設計可能な角度とピッチの組み合わせの幅が増加する。したがって、設計自由度を向上させることが可能となる。
【００８３】
また、第一実施形態のタッチパネル１は、第一導体線１４及び第二導体線２４が、平面視で不規則（ランダム）に配列されており、規則的な網目（メッシュパターン）が形成されないように設定されている。このため、第一導体線１４及び第二導体線２４が、平面視で規則的な網目が形成されるように設定されている場合と比較して、第一導体線１４によって形成される鋭角部分と、第二導体線２４によって形成される鋭角部分を減少させることが可能となる。これにより、太り部分ＥＦが発生する部分を減少させることが可能となる。
【００８４】
以下、図１４から図１７を用いて、第一実施形態のタッチパネル１が、太り部分ＥＦが発生する部分を減少させることが可能となる作用について説明する。
図１４及び図１５中に表すように、第一導体線１４及び第二導体線２４が、平面視で規則的な網目（メッシュパターン）が形成されるように設定されているタッチパネル１では、５４１箇所の鋭角部分が形成される。また、図１５中に表すように、第一導体線１４及び第二導体線２４が、平面視で規則的な網目が形成されるように設定されているタッチパネル１では、鋭角部分が形成される位置が規則的に配置されるため、規則的に交点太りが並ぶこととなる。
【００８５】
なお、「鋭角部分」とは、第一導体線１４のみによって形成される鋭角部分と、第二導体線２４のみによって形成される鋭角部分である。また、図１４及び図１５中では、「鋭角部分」を、白抜きの丸で表す。
これに対し、第一実施形態のタッチパネル１では、第一導体線１４及び第二導体線２４が、平面視で不規則（ランダム）に配列されているため、図１６及び図１７中に表すように、形成される鋭角部分の数は４７０箇所となる。なお、図１６及び図１７中では、図１４及び図１５中と同様、「鋭角部分」を、白抜きの丸で表す。
【００８６】
これに加え、第一実施形態のタッチパネル１では、ダミー線と主電極線との間、ダミー線と副電極線との間、二本のダミー線が交差する位置に、空隙部ＳＰを形成する（図５〜図７を参照）ことが可能である。したがって、第一実施形態のタッチパネル１では、形成される鋭角部分の数を、２０４箇所まで減少させることが可能となる（図示せず）。また、図１７中に表すように、第一導体線１４及び第二導体線２４が、平面視で不規則的に配列されているタッチパネル１では、鋭角部分が形成される位置が不規則的に配置されるため、規則的に交点太りが並ぶことを防止することが可能となる。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００８７】
（第一実施形態の効果）
第一実施形態のタッチパネル１であれば、以下に記載する効果を奏することが可能となる。
（１）一つの開口部２を囲む四本の線４ａ〜線４ｄからなる複数個の平行四辺形のパターンＲＰが、複数本の導体線（複数本の第一導体線１４、複数本の第二導体線２４）で形成されている。これに加え、交差せずに配置された複数本の導体線（第一導体線１４）を含む第一導電層１０と、第一導電層１０に積層され、且つ交差せずに配置された複数本の導体線（第二導体線２４）を含む第二導電層２０と、を備える。
【００８８】
そして、第二導電層２０に第一導電層１０を積層した状態の平面視で、第一導体線１４と第二導体線２４は、それぞれが交差して複数個の平行四辺形のパターンＲＰが形成されるように配置されている。
このため、第一導電層１０及び第二導電層２０のそれぞれで、複数本の導体線が交差しないようにしたことで、導体線の線幅が太くなることを抑制することが可能となる。
【００８９】
その結果、複数個の平行四辺形のパターンＲＰが複数本の導体線で形成されているタッチパネル１に対し、視認性が低下することを抑制することが可能となる。
さらに、平行四辺形のパターンＲＰで形成されているため、正方形（格子）のパターンで形成されているタッチパネルや、菱形のパターンで形成されているタッチパネルと比較して、設計自由度を向上させることが可能となる。
【００９０】
また、第一導体線１４及び第二導体線２４が、平面視で不規則に配列されている。これにより、第一導体線１４及び第二導体線２４が、平面視で規則的な網目が形成されるように設定されている場合と比較して、太り部分ＥＦが発生する部分を減少させることが可能となり、視認性が低下することを抑制することが可能となる。
これに加え、平行四辺形のパターンＲＰは、菱形のパターンと比較してモアレに対するマージンが広いため、菱形のパターンで形成されているタッチパネルと比較して、視認性を向上させることが可能となる。
【００９１】
以下、上記の効果を奏するために第一実施形態のタッチパネル１を発明した経緯を説明する。
本発明の発明者等は、本発明を発明するよりも前に、モアレに対するマージンが広いパターンである、菱形を採用したパターンを開発し、格子を採用したパターンでは対応が不可能であった高解像度液晶への対応を実現した。
【００９２】
これは、近年では、液晶の画質を向上させて映像をより綺麗に見せるために、液晶の画素が細かく、解像度が非常に高いため、金属細線により形成されるメッシュの形状が格子の場合は、モアレが発生しない箇所を見つけるのが非常に困難であることに起因する。
しかし、格子よりもモアレに対するマージンが広い菱形のパターンを用いた場合であっても、対応が困難な超高解像度液晶が登場した。そのため、この問題を解決するために、メッシュ形状を有するパターンが必要となった。
【００９３】
この問題を解決するため、本発明の発明者等は、メッシュの形状を平行四辺形とすることを考案した。
これは、平行四辺形のパターンは、角度が異なる事で格子のパターンよりも自由度が増加した菱形のパターンに、さらに、ピッチが異なるという要素を加える事で、自由度が更に増加するためである。そして、自由度が増加した分、菱形のパターンではモアレが発生した状況に対し、平行四辺形のパターンであればモアレが発生しない箇所がある可能性があるためである。
【００９４】
しかしながら、平行四辺形のパターンは、菱形のパターンと同様に鋭角が存在するため、従来技術の単純なメッシュパターンでは、規則的に交点太りが存在することになり、視認性が低下する。
このため、本発明では、モアレに対するマージンを広げるために、メッシュ形状として平行四辺形のパターンを採用し、さらに、交点太りによる視認性の低下を抑制することが可能なパターンを提案することで、上記の問題を解決した。
【００９５】
（２）平行四辺形のパターンＲＰが形成する鋭角が、１０［°］以上８９［°］以下の範囲内に設定され、平行四辺形のパターンＲＰが形成する鈍角が、９０［°］以上１７０［°］以下の範囲内に設定されている。
その結果、パターンＲＰの形状が、隣り合う導体線が近接して、導体線の線幅が太くなる状態と同様の状態となることを抑制することが可能な形状となるため、タッチパネル１に対し、視認性が低下することを抑制することが可能となる。
【００９６】
（３）複数の座標に対応した複数の検出領域を有し、複数の検出領域は、それぞれ、予め設定した範囲内において、同じパターンを繰り返すように形成されている。
その結果、タッチパネル１の外観が同じパターンが繰り返される外観となるため、タッチパネル１の外観に統一性を付与することが可能となる。
（４）第一導電層１０が含む導体線が平行に配列され、第二導電層２０が含む導体線が平行に配列されている。
その結果、タッチパネル１の外観が平行な線が均一に配置される外観となるため、タッチパネル１の外観に統一性を付与することが可能となる。
これに加え、第一導電層１０が含む導体線と、第二導電層２０が含む導体線が平均的に配列されるため、タッチパネル１の視認性を向上させることが可能となる。
【００９７】
（５）平行四辺形のパターンＲＰが、複数の画素が配列されている方向に対して傾斜した方向である第一方向Ｄ１と、第一方向Ｄ１と交差する第二方向Ｄ２と、に沿って配列されている。これに加え、第一方向Ｄ１に沿って延在する少なくとも一つの導体線に、第二方向Ｄ２に沿って延在する導体線が連結されている。
その結果、タッチパネル１の外観が、第一方向Ｄ１及び第二方向Ｄ２に沿って平行四辺形のパターンＲＰが配置される外観となるため、タッチパネル１の外観に統一性を付与することが可能となる。
【００９８】
（６）第一導電層１０が含む導体線及び第二導電層２０が含む導体線が、平面視で不規則に配列されている。
このため、第一導体線１４及び第二導体線２４が、平面視で規則的な網目が形成されるように設定されている場合と比較して、第一導体線１４によって形成される鋭角部分と、第二導体線２４によって形成される鋭角部分を減少させることが可能となる。
その結果、第一導体線１４及び第二導体線２４が、平面視で規則的な網目が形成されるように設定されている場合と比較して、太り部分ＥＦが発生する部分を減少させることが可能となり、視認性が低下することを抑制することが可能となる。
【００９９】
（７）主電極線及び副電極線のうち少なくとも一方の電極線と、ダミー線と、が交差した部分における一方の電極線とダミー線との比率が、一方の電極線：ダミー線とすると、３：１、２：２、１：３、０：４のうちいずれか一つである。
このため、主電極線及び副電極線のうち少なくとも一方が交差する部分を形成しないことで、第一導電層１０及び第二導電層２０において、共に、二本の導体線が連結された連結点における、導体線の線幅が太くなる箇所の増加を抑制することが可能となる。
その結果、第一導電層１０及び第二導電層２０のそれぞれが含む導体線の線幅が太くなることを抑制することが可能となり、タッチパネル１に対し、視認性が低下することを抑制することが可能となる。
【０１００】
（８）平面視で、ダミー線が鋭角で交差しない。
その結果、ダミー線によって太り部分ＥＦが形成されないため、タッチパネル１の視認性が低下することを抑制することが可能となる。
（９）平面視で、第一主電極線１４Ｍが有する直線部分と、第二主電極線２４Ｍが有する直線部分とが交差する。
その結果、第一導電層１０と第二導電層２０との間の静電容量を増加させることが可能となり、タッチパネル１の操作面における指先等の導体の接触位置を検出する検出精度を向上させることが可能となる。
【０１０１】
（１０）平面視で、第一副電極線１４Ｓが有する直線部分と、第二副電極線２４Ｓが有する直線部分とが交差する。
その結果、第一導電層１０と第二導電層２０との間の静電容量を増加させることが可能となり、タッチパネル１の操作面における導体の接触位置を検出する検出精度を向上させることが可能となる。
【０１０２】
（１１）導体線が、電極に接続された複数本の主電極線（第一主電極線１４Ｍ、第二主電極線２４Ｍ）と、電極に接続された複数本の副電極線（第一副電極線１４Ｓ、第二副電極線２４Ｓ）と、を含む。
これに加え、複数本の主電極線が、平面視で予め設定した方向に連続するパターンである複数の主電極線群（第一主電極線群１８、第二主電極線群２８）を形成する。そして、複数の主電極線群同士が、副電極線のみで連結されている。
その結果、第一導電層１０及び第二導電層２０のそれぞれで、主電極線群と副電極線が交差しないパターンを形成することが可能となる。
【０１０３】
（１２）第一導電層１０及び第二導電層２０において、主電極線（第一主電極線１４Ｍ、第二主電極線２４Ｍ）が有する直線部分の端部間に、副電極線（第一副電極線１４Ｓ、第二副電極線２４Ｓ）の一方の端部が連結されている。
このため、第一導電層１０及び第二導電層２０のそれぞれで、主電極線と副電極線とを「Ｔ字」形状で連結することが可能となり、主電極線と副電極線との連結部分に、太り部分ＥＦが発生することを抑制することが可能となる。
その結果、平面視で、開口部２の開口率（透過率）の低下を防止することが可能となるとともに、視認性の低下を抑制することが可能となる。
これにより、タッチパネル１を備える表示装置に対し、表示品位を良化させることが可能となる。
【０１０４】
（１３）導体線が有する直線部分ＳＴ（ＳＴａ、ＳＴｂ）の長さが、一つの開口部２を囲む四本の線４のうち一本の線の長さであるピッチＷＰの１倍以上６倍以下に設定されている。
このため、直線部分ＳＴの長さをピッチＷＰの６倍以下とすることで、直線部分ＳＴが、導体線の他の部分よりも、視認されやすくなることを抑制することが可能となる。
その結果、複数個の平行四辺形のパターンＲＰが複数本の導体線で形成されているタッチパネル１に対し、視認性が低下することを抑制することが可能となる。
【０１０５】
（１４）導体線が有する直線部分ＳＴ（ＳＴａ、ＳＴｂ）の長さが、ピッチＷＰの１倍以上４倍以下に設定されている。
このため、直線部分ＳＴの長さをピッチＷＰの４倍以下とすることで、直線部分ＳＴの長さをピッチＷＰの４倍を超える長さとした場合よりも、直線部分ＳＴが、導体線の他の部分よりも、視認されやすくなることを抑制することが可能となる。
その結果、複数個の平行四辺形のパターンＲＰが複数本の導体線で形成されているタッチパネル１に対し、視認性が低下することを抑制することが可能となる。
【０１０６】
（１５）複数個の平行四辺形のパターンＲＰが、タッチパネル１を積層する表示装置が備える複数の画素を配列した配列方向に対して傾斜した方向である第一方向Ｄ１と、第一方向Ｄ１と交差する第二方向Ｄ２とに沿って配列されている。
このため、表示装置が備える複数の画素と、複数個の平行四辺形のパターンＲＰを配列して形成したメッシュパターンと、の間で発生する、周期性との関係に起因する干渉（モアレ）を低減させることが可能となる。
その結果、タッチパネル１に対し、視認性が低下することを抑制することが可能となる。
【０１０７】
（１６）ダミー線と主電極線との間に、空隙部ＳＰが形成されている。
その結果、電気的に絶縁されたダミー線の長さを短縮させることが可能となるため、タッチパネル１の寄生容量（浮遊容量）を減少させることが可能となり、静電容量の変化を検出する検出感度の低下を抑制することが可能となる。
（１７）ダミー線と副電極線との間に、空隙部ＳＰが形成されている。
その結果、電気的に絶縁されたダミー線の長さを短縮させることが可能となるため、タッチパネル１の寄生容量を減少させることが可能となり、静電容量の変化を検出する検出感度の低下を抑制することが可能となる。
【０１０８】
（１８）二本のダミー線が交差する位置に、空隙部ＳＰが形成されている。
その結果、ダミー線の長さを短縮させることが可能となるため、タッチパネル１の寄生容量を減少させることが可能となり、静電容量の変化を検出する検出感度の低下を抑制することが可能となる。
また、第一実施形態の表示装置であれば、以下に記載する効果を奏することが可能となる。
（１９）タッチパネル１が積層されている。
その結果、表示装置の視認性が低下することを抑制することが可能となる。
【０１０９】
（変形例）
（１）第一実施形態では、平面視で、第一主電極線１４Ｍが有する直線部分と、第二主電極線２４Ｍが有する直線部分とが交差する構成としたが、これに限定するものではない。
すなわち、第一主電極線１４Ｍが有する直線部分と、第二主電極線２４Ｍが有する直線部分とが交差しない構成としてもよい。
この場合、第一主電極線１４Ｍが有する直線部分と、第二主電極線２４Ｍが有する直線部分とが交差しない位置を調整することで、静電容量を調整することが可能となる。
これにより、タッチパネル１の設計自由度を向上させることが可能となる。
【０１１０】
（２）第一実施形態では、平面視で、第一副電極線１４Ｓが有する直線部分と、第二副電極線２４Ｓが有する直線部分とが交差する構成としたが、これに限定するものではない。
すなわち、第一副電極線１４Ｓが有する直線部分と、第二副電極線２４Ｓが有する直線部分とが交差しない構成としてもよい。
この場合、第一副電極線１４Ｓが有する直線部分と、第二副電極線２４Ｓが有する直線部分とが交差しない位置を調整することで、静電容量を調整することが可能となる。
これにより、タッチパネル１の設計自由度を向上させることが可能となる。
【０１１１】
（３）第一実施形態では、第一導体線１４が有する直線部分の長さを、ピッチＷＰの１倍以上４倍以下に設定したが、これに限定するものではなく、第一導体線１４が有する直線部分の長さを、ピッチＷＰの１倍以上１０倍以下に設定してもよい。これは、第二導体線２４が有する直線部分の長さについても、同様とする。
この場合、直線部分ＳＴの長さをピッチＷＰの１０倍以下とすることで、直線部分ＳＴが、導体線の他の部分よりも、視認されやすくなることを抑制することが可能となる。
その結果、複数個の平行四辺形のパターンＲＰが複数本の導体線で形成されているタッチパネル１に対し、視認性が低下することを抑制することが可能となる。
【０１１２】
（４）第一実施形態では、第一導電層１０が、タッチパネル１のセンシング層を形成し、第二導電層２０が、タッチパネル１のドライブ層を形成する構成としたが、これに限定するものではない。
すなわち、第一導電層１０が、タッチパネル１のドライブ層を形成し、第二導電層２０が、タッチパネル１のセンシング層を形成する構成としてもよい。
なお、一般に、表示装置（携帯通信端末）の使用者側に配置されてタッチされる側の導電層がセンシング層と称され、駆動電圧が印加される側の導電層がドライブ層と称される。
【０１１３】
また、センシング層やドライブ層を構成する第一導電層１０や第二導電層２０は、表示装置の画面サイズや形状に応じて、適宜に設計を変更することが可能である。
例えば、縦横比が４：３や１６：９の横長画面では、水平方向にドライブ電極が延び、垂直方向にセンシング電極が延びる電極線の方向が選択され、縦横比に応じた行列の電極線本数が採用される場合もある。また、観察者側／反観察者側（表示素子側）の配置関係が変更される場合もある。
【０１１４】
また、第一導電層１０と第二導電層２０が別体ではなく、共通（単独）の絶縁基材の表裏に第一導体線１４及び第二導体線２４が形成された構成のタッチセンサーフィルムでは、設計思想に応じた機能を担うことが必要とされる。これは、第一導体線１４及び第二導体線２４が、適宜、センシング層、または、ドライブ層の機能を受け持つことになることに起因する。
【０１１５】
なお、非ＩＴＯの金属ワイヤ導電層を備えるフィルムセンサーとしては、図３中に示されるＧＦＦタイプ（カバーガラスと、二枚の片面配線フィルム）以外にも、ＧＦ２（カバーガラスと、一枚の両面配線フィルム）のタイプが一般的である。
そして、ＧＦ２タイプのフィルムセンサーは、電極フィルムが一枚となるため、タッチパネルの薄型化に貢献することが可能である。また、ＧＦ２タイプのフィルムセンサーでは、フィルム基材の表裏に形成するＸ電極及びＹ電極のパターンを、フィルム基材の表裏で高精度に位置合わせを行うことが可能であるため、パターンずれに起因するモアレの抑制を効果的に行うことが可能である。
【０１１６】
（５）第一実施形態では、第一導体線１４の線幅を、２［μｍ］以上７［μｍ］以下の範囲内に設定したが、これに限定するものではなく、第一導体線１４の線幅を、１［μｍ］以上１０［μｍ］以下の範囲内に設定してもよい。これは、第二導体線２４の線幅についても、同様とする。
【実施例】
【０１１７】
第一実施形態を参照しつつ、以下に記載する実施例により、実施例１及び実施例２のタッチパネルと、比較例１から比較例４のタッチパネルについて説明する。
（実施例１）
実施例１のタッチパネルは、複数個の平行四辺形のパターンが、複数本の導体線で形成されているタッチパネルである。また、実施例１のタッチパネルは、ノードピッチが４．２［ｍｍ］×４．２［ｍｍ］である。
【０１１８】
（実施例２）
実施例２のタッチパネルは、複数個の平行四辺形のパターンが、複数本の導体線で形成されているタッチパネルである。また、実施例２のタッチパネルは、ノードピッチが５．０［ｍｍ］×５．０［ｍｍ］である。
（比較例１）
比較例１のタッチパネルは、複数個の格子（正方形）のパターンが、複数本の導体線で形成されているタッチパネルである。また、比較例１のタッチパネルは、実施例１のタッチパネルと、ノードピッチが同じである。
【０１１９】
（比較例２）
比較例２のタッチパネルは、複数個の菱形のパターンが、複数本の導体線で形成されているタッチパネルである。また、比較例２のタッチパネルは、実施例１のタッチパネルと、ノードピッチが同じである。
（比較例３）
比較例３のタッチパネルは、複数個の格子（正方形）のパターンが、複数本の導体線で形成されているタッチパネルである。また、比較例３のタッチパネルは、実施例２のタッチパネルと、ノードピッチが同じである。
【０１２０】
（比較例４）
比較例４のタッチパネルは、複数個の菱形のパターンが、複数本の導体線で形成されているタッチパネルである。また、比較例４のタッチパネルは、実施例２のタッチパネルと、ノードピッチが同じである。
【０１２１】
（設計自由度の比較）
実施例１及び実施例２のタッチパネルと、比較例１から比較例４のタッチパネルに対し、それぞれ、設計可能パラメータの数（設計可能パラメータ数）を比較した。比較結果は、表１中に表す。
【０１２２】
なお、設計可能パラメータの数とは、ノードのピッチを予め設定した値とした条件下で設計可能な、隣り合う角度（上述したθ１とθ２）と隣り合うピッチ（上述したＰ１とＰ２）とを組み合わせた総数である。
また、比較例１のタッチパネルに対する設計可能パラメータの数は、図１８中にグラフで表し、比較例２のタッチパネルに対する設計可能パラメータの数は、図１９中にグラフで表す。同様に、比較例３のタッチパネルに対する設計可能パラメータの数は、図２０中にグラフで表し、比較例４のタッチパネルに対する設計可能パラメータの数は、図２１中にグラフで表す。
【０１２３】
なお、図１８から図２１中に表すグラフでは、縦軸に「ピッチ」を表し、横軸に「角度」を表す。また、図１８から図２１中に表すグラフには、設計可能パラメータの数を「ｎ」で表す。
【０１２４】
【表１】
2019008606.tif 000003
【０１２５】
（比較結果）
表１中に表されるように、比較例１から比較例４のタッチパネルは、実施例１及び実施例２タッチパネルと比較して、設計可能パラメータの数が少ない。
具体的には、格子のパターンである比較例１及び比較例３と、菱形のパターンである比較例２及び比較例４との、設計可能パラメータの数の差は１．３倍程度である。これに対し、比較例１及び比較例３と、平行四辺形のパターンである実施例１及び実施例２との、設計可能パラメータの数の差は３００倍以上となる。
【０１２６】
なお、グラフによる表現が困難であるため、実施例のタッチパネルに対する設計可能パラメータの数は、比較例と異なり、グラフで表していない。
以上により、実施例１及び実施例２のタッチパネルは、比較例１から比較例４のタッチパネルと比較して、設計可能パラメータの数が非常に多く、設計自由度を大幅に向上させることが可能であることが確認された。
【符号の説明】
【０１２７】
１…タッチパネル、２…開口部、４…開口部２を囲む線、１０…第一導電層、１２…第一基材、１４…第一導体線、１４Ｍ…第一主電極線、１４Ｓ…第一副電極線、１４Ｄ…第一ダミー線、１６ａ…第一鋭角部、１６ｂ…第一鈍角部、１８…第一主電極線群、２０…第二導電層、２２…第二基材、２４…第二導体線、２４Ｍ…第二主電極線、２４Ｓ…第二副電極線、２４Ｄ…第二ダミー線、２６ａ…第二鋭角部、２６ｂ…第二鈍角部、２８…第二主電極線群、ＲＰ…パターン、ＳＰ…空隙部、ＣＥ…加工領域、ＷＰ…ピッチ、ＳＴａ…第一導体線１４が有する直線部分のうちピッチＷＰの３倍に長さが設定された一つの直線部分、ＳＴｂ…第二導体線２４が有する直線部分のうちピッチＷＰの３倍に長さが設定された一つの直線部分、ＥＦ…太り部分
【図１】
2019008606.tif 000004
【図２】
2019008606.tif 000005
【図３】
2019008606.tif 000006
【図４】
2019008606.tif 000007
【図５】
2019008606.tif 000008
【図６】
2019008606.tif 000009
【図７】
2019008606.tif 000010
【図８】
2019008606.tif 000011
【図９】
2019008606.tif 000012
【図１０】
2019008606.tif 000013
【図１１】
2019008606.tif 000014
【図１２】
2019008606.tif 000015
【図１３】
2019008606.tif 000016
【図１４】
2019008606.tif 000017
【図１５】
2019008606.tif 000018
【図１６】
2019008606.tif 000019
【図１７】
2019008606.tif 000020
【図１８】
2019008606.tif 000021
【図１９】
2019008606.tif 000022
【図２０】
2019008606.tif 000023
【図２１】
2019008606.tif 000024